(57)【要約】【課題】  光ディスクへ傷をつけることなく、情報の記録、再生、または消去ができる光ピックアップ装置を実現する。【解決手段】  レーザー光を用いて光情報記録媒体の情報の再生、消去または記録を行う光ピックアップ装置において、レーザー光を光ディスク表面に集光させる対物レンズ１と、対物レンズ１を保持するレンズホルダー２と、レンズホルダー２をフォーカス方向へ移動させるアクチュエーター６と、光ディスクＤ装着時に、レンズホルダー２およびアクチュエーター６と、光ディスクとの間に配置されるアクチュエーターカバー４と、を有し、アクチュエーターカバー４が、その光ディスクＤと対向する面に、光ディスクＤとアクチュエーターカバー４との衝突を防ぐためのカバープロテクタ５を有している事を特徴とする。【選択図】  図１
2005251246.tif 000002
【特許請求の範囲】
【請求項１】
レーザー光を用いて光情報記録媒体の情報の再生、消去または記録を行う光ピックアップ装置において、
レーザー光を光ディスク表面に集光させる対物レンズと、
上記対物レンズを保持し、フォーカス方向へ移動させるレンズ駆動部と、
光ディスク装着時に、上記レンズ駆動部と光ディスクとの間に配置される保護カバーと、を有し、
上記保護カバーが、当該保護カバーの光ディスクと対向する面に、光ディスクと保護カバーとの衝突を防ぐための凸形状を有している事を特徴とする光ピックアップ装置。
【請求項２】
上記凸形状が、半球面形状であることを特徴とする請求項１に記載の光ピックアップ装置。
【請求項３】
上記凸形状が、上記保護カバーにおける、対物レンズに対向する部分より光ディスク外周側に設けられていることを特徴とする請求項１または２に記載の光ピックアップ装置。
【請求項４】
上記凸形状が、上記保護カバーにおける、光ディスクの端部と対向する領域の少なくとも一部に設けられていることを特徴とする請求項１から３の何れか１項に記載の光ピックアップ装置。
【請求項５】
上記凸形状が、少なくとも上記保護カバーにおける、光ディスクの中心から一番離れた箇所に形成されていることを特徴とする請求項１から４の何れか１項に記載の光ピックアップ装置。
【請求項６】
上記保護カバーが光ディスクの半径方向に延びた側面を有する方形であり、
上記凸形状が、上記保護カバーにおける、光ディスク外周側の角部２箇所と、対物レンズの中心をとおるディスク半径方向の線上の、対物レンズに最も近い光ディスク外周側の１箇所と、に設けられていることを特徴とする請求項１から５の何れか１項に記載の光ピックアップ装置。
【請求項７】
常に、装着された光ディスクと上記凸形状の少なくとも一部とが対向するように、上記凸形状が配置されていることを特徴とする請求項１から６の何れか１項に記載の光ピックアップ装置。
【請求項８】
上記凸形状が、別に製造された凸部材を保護カバーに取り付けることにより形成されていることを特徴とする請求項１から７の何れか１項に記載の光ピックアップ装置。
【請求項９】
別に製造された凸部材が、アウトサート成型にて保護カバーに取り付けられていることを特徴とする請求項８に記載の光ピックアップ装置。
【請求項１０】
上記凸形状が、保護カバーに１液性ゴム材を塗布して硬化させることにより形成されていることを特徴とする請求項１から７の何れか１項に記載の光ピックアップ装置。
【請求項１１】
上記保護カバーにおける凸形状設置位置に凹部が形成されており、
上記凸形状が、上記凹部に１液性ゴム材を塗布して硬化させることにより形成されていることを特徴とする請求項１０に記載の光ピックアップ装置。
【請求項１２】
上記凸形状が、塗布ガイド治具を用いて塗布位置を制御しながら保護カバーに塗布された、１液性ゴム材を硬化させることにより形成されたことを特徴とする請求項１０に記載の光ピックアップ装置。
【請求項１３】
上記凸形状が、高さ規制治具を用いて塗布高さを制御された１液性ゴム材を硬化させることにより形成されたことを特徴とする請求項１０から１２の何れか１項に記載の光ピックアップ装置。
【発明の詳細な説明】
【技術分野】
【０００１】
本発明は、光ディスク等の情報記録媒体の情報を再生、記録、あるいは消去を行う光ピックアップ装置に関するものである。
【背景技術】
【０００２】
従来から、光ディスクの情報を再生、記録、あるいは消去する光ピックアップ装置において、光ディスクが、光ディスクにレーザー光を集光させるための対物レンズと衝突することを防ぐための保護部材を取り付けることが知られている。
【０００３】
例えば、引用文献１には、対物レンズが、その近傍に対物レンズと一体に取り付けられた突起を有し、この突起が対物レンズがディスクに近接する方向に動く場合に、前記突起が前記対物レンズより先に前記ディスクと接触することにより、ディスクと対物レンズとの接触を防止することが記載されている。なお、突起と光ディスクとの接触位置が、ディスク上における焦点位置より内周側あるいは外周側に、ある一定距離離れるように、突起が配置されている。
【０００４】
また、引用文献２には、レンズの周囲にリング状のプロテクタを備え、そのプロテクタをレンズの表面よりも突き出た高さに形成することで、レンズ保護を行うことが開示されている。
【０００５】
さらに、引用文献３には、対物レンズを支持してフォーカス方向に移動するベース部材に、ベース部材がフォーカス方向に移動してディスクに接近する際のベース部材の移動幅を制限するプロテクタを固定することが開示されている。
【０００６】
一方、近年、ノートパソコンの薄型化が進んでいることなどから、それに搭載される光ピックアップ装置も薄型化されてきている。これにともない、光ピックアップ装置のレンズ駆動部に保護カバーを備える構成が必要となっている。
【０００７】
つまり、薄型でないハーフハイトピックアップの様な装置では、ドライブにディスクを挿入する為にトレーを装置外に引き出したとしても、ピックアップ部が外部に露出せず、アクチェート部分に使用者の手が触れたり、外部から埃等が進入する事がないので、保護カバーがなくても問題がなかった。また、ディスクとアクチェータとのクリアランス（間隙距離）を十分に確保した設計が可能なことから、ディスクとアクチェータとの衝突という面からも、レンズ駆動部に保護カバーが無くても問題にはならなかった。
【０００８】
しかし、薄型のスリムピックアップ装置で、例えばディスクトレーに埋め込む構成のものでは、トレー引き出し時にピックアップ部が露出し、ピックアップ部に手が触れたり、埃が進入することが考えられる。また、薄型化のためにディスクとアクチェータとのクリアランスが確保できず、ディスクとアクチェータとが衝突を防ぐ構成が必要である。そこで、一般的に、ピックアップの露出部を保護することを目的として、ディスクとアクチェータとの間に、保護カバーを配置している。
【特許文献１】特開平８−２８７４７７（公開日：１９９６年１１月１日）
【特許文献２】実用新案登録第３０８５３４３号（登録日：２００２年２月６日）
【特許文献３】特開２００２−２４５６５１（公開日：２００２年８月３０日）
【発明の開示】
【発明が解決しようとする課題】
【０００９】
特許文献１〜３に開示された構成では、光ディスクと対物レンズとの接触を防ぐことができるが、このような光ピックアップ装置のアクチュエーターに上記した保護カバーを設置した場合、光ディスクと保護カバーのコーナーエッジとが衝突し、光ディスク内の情報が失われるという問題が生じる。近年、薄型のノートパソコンに光ディスクへの書き込み機能を搭載したものが広く普及しつつあるが、一般に市販されている光ディスクには面振れが大きいものがあるため、情報記録が可能な光ピックアップ装置では特に上述したアクチェータカバーと光ディスクとの衝突の問題が起こりやすい。
【００１０】
以下に、アクチェータカバーと光ディスクとの衝突を、光ピックアップ装置の構成側面図を示す図９及び図１０を用いて説明する。
【００１１】
図９は光ディスクが面振れをおこしていない通常状態を示している。光ピックアップ装置では、光ディスクＤの記録面に対向して対物レンズ９１が配されている。対物レンズ９１はレンズホルダー９２に支持されており、レンズホルダー９２は、常に対物レンズ９１の焦点が光ディスクＤに対して最適な位置を保つようにフォーカス方向に上下運動している。これにより、ディスクＤの情報を読み取るまたは書き込むことができる。
【００１２】
レンズホルダー９２における対物レンズ９１の周縁部には、レンズプロテクタ９３が設けられている。レンズプロテクタ９３は、対物レンズ９１よりも光ディスクＤ側に突出しており、読み込みエラーが生じた場合や外部からの急激な衝撃を受けた場合に、対物レンズ９１が光ディスクＤに衝突することを防ぐ。これにより、対物レンズ９１及び光ディスクＤが傷つくのを防止することができる。
【００１３】
そして、レンズ駆動部分の汚染を防ぐために、対物レンズ１およびレンズホルダー２を含むレンズ駆動部全体を囲むように、アクチュエーターカバー９４が配置されている。
【００１４】
図１０は、図９の状態で、光ディスクＤの外周側の情報を読み込み又は記録している時に、光ディスクＤが面振れをおこした場合を示している。ここで、光ディスクＤの面振れは光ディスクＤの中心を基点として起こるため、内周側に比べて外周側の振れ幅が大きくなり、光ディスクＤと、アクチュエーターカバー９４との間のクリアランスは外周ほど小さくなる。そして、このクリアランスが小さい部分では特に振動・衝撃等の外部要因等によって、光ディスクＤの衝突が起こりやすくなる。
【００１５】
このような、光ディスクＤの面振れを原因とする衝突では、光ディスクＤの記録面に対向する部材のうちの光ディスクＤの最外周部分が衝突部位となるので、アクチュエーターカバー９４の光ディスクＤ外周側で衝突が起こる。このような、対物レンズ９１から離れた箇所での衝突は、対物レンズ９１の周囲に設けられたレンズプロテクタ９３では防げない。したがって、従来の技術では、光ディスクＤ表面が傷つき、最悪の場合には、その部分の情報を得る事ができなくなるという事態を防ぐことができない。
【００１６】
なお、アクチェータカバー９４を光ディスクＤが衝突しない程度に、十分にクリアランスを取って配置すれば、この衝突を防げるが、ノートパソコン等に搭載される薄型光ピックアップ装置では、クリアランスを十分に確保できない。
【００１７】
本発明は、上記の問題点に鑑みてなされたものであり、その目的は、光ディスクへ傷をつけることなく、情報の記録、再生、または消去ができる光ピックアップ装置を実現することにある。
【課題を解決するための手段】
【００１８】
本発明の光ピックアップ装置は、上記課題を解決するために、レーザー光を用いて光情報記録媒体の情報の再生、消去または記録を行う光ピックアップ装置において、レーザー光を光ディスク表面に集光させる対物レンズと、上記対物レンズを保持し、フォーカス方向へ移動させるレンズ駆動部と、光ディスク装着時に、上記レンズ駆動部と光ディスクとの間に配置される保護カバーと、を有し、上記保護カバーが、当該保護カバーの光ディスクと対向する面に、光ディスクと保護カバーとの衝突を防ぐための凸形状を有している事を特徴としている。
【００１９】
光ピックアップ装置に光ディスクを装着して情報を記録または再生するときには、光ディスクは回転しながらレーザー光を照射される。このとき、光ディスクが面振れしていると、部分的に光ディスクとそれに対向する保護カバーとの間隔が狭まり、さらにこの状態で振動や衝撃が与えられると、光ディスクと保護カバーとが衝突する。
【００２０】
しかし、本発明では、保護カバーの光ディスクと対向する面に凸形状が形成されているので、面振れの大きい光ディスクの情報を記録または再生しているときに振動や衝撃があったとしても、光ディスクは保護カバーのコーナーや面に衝突する前に凸形状に接触する。したがって、光ディスクが保護カバーに衝突することが防がれ、光ディスクに傷がついて、情報が失われることが防がれる。
【００２１】
また、本発明の光ピックアップ装置は、上記凸形状が、半球面形状であることを特徴としている。これにより、凸形状の光ディスクと接触する面が曲面となるので、接触時の光ディスクへのダメージをより小さくできる。
【００２２】
また、本発明の光ピックアップ装置は、上記凸形状が、上記保護カバーにおける、対物レンズに対向する部分より、光ディスク外周側に設けられていることを特徴としている。
【００２３】
なお、ここで言う「対物レンズに対向する部分より、光ディスク外周側」とは、対物レンズと光ディスクの中心との距離を基準として、これよりも光ディスク中心から遠い距離にある部分を指す。
【００２４】
光ディスクの面振れは、光ディスクの外周側に行くほど振り幅が大きくなり、光ディスクとの間隔が狭まっていくので、光ディスクと保護カバーとの接触は、光ディスク半径方向の線上における、両者が対向する部分の光ディスク最外周側の部分（最も光ディスク中心から離れた箇所）で起こる。この接触位置は、保護カバーと光ディスクとの位置関係により変化するが、対物レンズは光ディスクの半径内で移動するだけなので、接触位置が対物レンズよりも光ディスク内周側となることはない。したがって、凸形状の形成領域は、光ディスクとの衝突の可能性のある対物レンズより光ディスク外周側とすればよい。
【００２５】
また、本発明の光ピックアップ装置は、上記凸形状が、上記保護カバーにおける、光ディスクの端部と対向する領域の少なくとも一部に設けられていることを特徴としている。
【００２６】
ここで、「光ディスクの端部と対向する領域」は、光ディスクあるいは保護カバーを移動させながら作動させる場合は、すべての位置についての光ディスクの端部と対向する部分を含んだ領域である。
【００２７】
上述したように、光ディスクと保護カバーとの接触は両者が対向する部分での光ディスク最外周側で起こる。したがって、接触位置は、保護カバーが光ディスクよりもディスク外周側にはみ出している場合には光ディスクの端部に対向する位置となる。よって、凸形状を光ディスクの端部に対向する位置に設けることで、光ディスクと保護カバーとの衝突を防ぐことができる。
【００２８】
一方、光ディスクが保護カバーよりもディスク外周側にはみ出している場合には、保護カバーのディスク外周側の端部で光ディスクと接触することになるが、「光ディスクの端部に対向する領域」には保護カバーの光ディスク外周側の端部も含まれているので、この場合も光ディスクと保護カバーとの衝突を防ぐことができる。
【００２９】
また、本発明の光ピックアップ装置は、上記凸形状が、少なくとも上記保護カバーにおける、光ディスクの中心から一番離れた箇所に形成されていることを特徴としている。
【００３０】
凸形状は、光ディスクと保護カバーとの衝突の可能性のある箇所に設ければよいが、凸形状の製造コストの面からは最小限の範囲にて形成することが好ましい。そこで、最も効率よく衝突を防ぐ凸形状の形成領域を選んで形成すればよい。
【００３１】
ここで、光ディスクが保護カバーよりもディスク外周側にはみ出している場合には、保護カバーの光ディスク外周側の端部で光ディスクと衝突することとなる。よって、保護カバーにおける、光ディスクの中心から一番離れた箇所に凸形状を設けることで、この場合の衝突をすべて防ぐことができ、衝突が効率的に防がれる。
【００３２】
また、本発明の光ピックアップ装置は、上記保護カバーが光ディスクの半径方向に延びた面を有する方形であり、上記凸形状が、上記保護カバーにおける、ディスク外周側の角部の２箇所と、対物レンズの中心をとおるディスク半径方向の線上の、対物レンズに最も近い光ディスク外周側の１箇所と、に設けられていることを特徴としている。
【００３３】
効率よく衝突を防ぐ凸形状の形成領域としてはこの３箇所が好ましい。すなわち、光ディスクが保護カバーよりもディスク外周側にはみ出している場合には、保護カバーの光ディスク外周側の端部で光ディスクと衝突することとなり、保護カバーが光ディスクよりもディスク外周側にはみ出すように位置がずれていくにつれて、その保護カバー側の接触位置が徐々にディスク内周側へとずれていく。この接触の際、光ディスク最外周部が、保護カバーのディスク外周側の角部の２箇所に最も早く接触する（保護カバー形状によってどちらの角部に先に接触するかは変わる）。よって、この角部に２つの凸形状を設ければ、衝突を防ぐことができる。したがって、保護カバーの他の箇所に凸形状が形成されていなくても、衝突は概ね防がれ、小さな凸形状で効率よく衝突を防げる。
【００３４】
また、衝突位置が、上記２箇所の凸形状で衝突を防ぐことができない程度に、保護カバーにおけるよりディスク内周側にある場合は、対物レンズに最も近い１箇所の凸形状にて衝突を防ぐ。この衝突では、光ディスク外周部の全体が保護カバーに対向しているので、１個所に凸形状を設けるだけで、衝突防止の機能を果す。また、この凸形状を対物レンズに最も近い位置に配置する事で、対物レンズがディスクに衝突する可能性を軽減する事が可能であると共に、読み込み・書き込みの直ぐ近傍のディスク面振れを抑制する事が可能となる。
【００３５】
また、本発明の光ピックアップ装置は、常に、装着された光ディスクと上記凸形状の少なくとも一部とが対向するように、上記凸形状が配置されていることを特徴としている。
【００３６】
これによれば、光ディスクと保護カバーとの位置関係が変化しても、常に少なくとも一部の凸形状が光ディスクと対向しているので、光ディスクと保護カバーとの位置関係に関わらず光ディスクと保護カバーとの衝突を防ぐことができる。
【００３７】
また、本発明の光ピックアップ装置は、上記凸形状が、別に製造された凸部材を保護カバーに取り付けることにより形成されていることを特徴としている。これよれば、凸形状を任意の材料にて製造できるので、衝突により光ディスクに最も影響を与えにくい材料を選定することが可能となる。
【００３８】
また、本発明の光ピックアップ装置は、別に製造された凸部材が、アウトサート成型にて保護カバーに取り付けられていることを特徴としている。これにより、組立工程を増やすことなく、凸形状を製造できる。
【００３９】
また、本発明の光ピックアップ装置は、上記凸形状が、保護カバーに１液性ゴム材を塗布して硬化させることにより形成されていることを特徴としている。これにより、新規に部品及び金型を作成することなく、衝突時に光ディスクに影響を与えない材料にて凸形状を形成できる。
【００４０】
また、本発明の光ピックアップ装置は、上記保護カバーにおける凸形状設置位置に凹部が形成されており、上記凸形状が、上記凹部に１液性ゴム材を塗布して硬化させることにより形成されていることを特徴としている。これにより、簡単に、精密に位置合わせして凸形状を形成することができる。
【００４１】
また、本発明の光ピックアップ装置は、上記課題を解決するために、上記凸形状が、塗布ガイド治具を用いて塗布位置を制御しながら保護カバーに塗布された、１液性ゴム材を硬化させることにより形成されたことを特徴としている。これにより、簡単に、精密に位置合わせして凸形状を形成することができる。
【００４２】
また、本発明の光ピックアップ装置は、本発明の光ピックアップ装置は、上記課題を解決するために、上記凸形状が、高さ規制治具を用いて塗布高さを制御された１液性ゴム材を硬化させることにより形成されたことを特徴としている。これにより、簡単に、任意の高さの凸形状を形成できる。
【発明の効果】
【００４３】
以上のように、本発明の光ピックアップ装置は、対物レンズと、レンズ駆動部と、保護カバーと、を有し、上記保護カバーが、当該保護カバーの光ディスクと対向する面に、光ディスクと保護カバーとの衝突を防ぐための凸形状を有している。
【００４４】
それゆえ、面振れの大きい光ディスクの情報を記録または再生しているときに振動や衝撃があったとしても、光ディスクは保護カバーのコーナーや面に衝突する前に凸形状に接触するので、光ディスクが保護カバーに衝突することにより傷がついて、光ディスクの情報が失われることが防がれるという効果を奏する。
【発明を実施するための最良の形態】
【００４５】
〔実施の形態１〕
本発明の一実施形態について図１ないし図３に基づいて説明すると以下の通りである。
【００４６】
図１は、本発明のアクチェータ近傍の側面断面構成図である。光ピックアップ装置は、光源（図示せず）、対物レンズ１、レンズホルダー（レンズ駆動部）２、アクチュエーター（レンズ駆動部）６、レンズプロテクタ３、アクチュエーターカバー（保護カバー）４、カバープロテクタ（凸形状）５、からなり、装着された光ディスクＤの情報の読み込み、書き込み、または消去を行う。なお、以下で、レンズホルダー２、アクチュエーター６を含む対物レンズ１の駆動に関わる機構全体をさしてレンズ駆動部と称している。
【００４７】
光源は、光ディスクＤの情報の読み取り、書き込みを行うためのレーザー光を発するものである。対物レンズ１は、光ディスクＤの記録面に対向して配されており、光源からの光を光ディスクＤに集光させる。レンズホルダー２は対物レンズ１を保持しており、フォーカス方向Ｆに移動することで、対物レンズ１を動かしている。アクチュエーター６は、対物レンズ１の焦点が常に光ディスクＤの記録面に合うように、レンズホルダー２を最適な位置に保つ。レンズプロテクタ３は、レンズホルダー２における対物レンズ１の周縁部に、対物レンズ１よりも光ディスクＤ側に突出して形成されており、対物レンズ１と光ディスクＤとの衝突を防ぐ。
【００４８】
そして、アクチュエーターカバー４は、レンズホルダー２、アクチュエーター６を含むレンズ駆動部全体を囲むように筐体に設置され、対物レンズ１裏側やアクチュエーター６への埃の進入や使用者の手との接触を防いでいる。但し、対物レンズ１（レンズ駆動部全体）は上下左右に位置調整されながら読み取り、書き込みを行うので、アクチュエーターカバー４には、この位置調整を阻害しないようにレンズ保持部分よりも大き目の開口４１を設けている。カバープロテクタ５は、アクチュエーターカバー４の光ディスクＤとの対向面における、対物レンズ１よりも光ディスクＤ外周側（以下、単に「外周側」あるいは「内周側」という）の端部に設けられており、光ディスクＤが面振れした場合に、アクチュエーターカバー４と衝突することを防ぐ。なお、光ディスク外周側とは、光ディスクＤ中心からの距離がより遠い部分であり、光ディスク内周側とはより近い部分である）。
【００４９】
なお、この光ピックアップ装置は、対物レンズ１のディスク半径方向への移動はなく、光ディスクＤをその半径方向に移動させることで、読み取り（書き込み）位置を変えているものとして説明している。
【００５０】
次に、ディスクＤが面振れした場合に、カバープロテクタ５により、ディスクＤとアクチュエーターカバー４との衝突を防ぐ機構について、詳しく説明する。
【００５１】
本来、アクチェータカバー４と光ディスクＤとは、衝突しないようなクリアランス（間隔）を確保した位置に配置されている。しかし、光ピックアップ装置が光ディスクＤの外周部を読み込み、または書き込みしているときに、光ディスクＤが面振れ、すなわち、光ディスクＤの回転軸（光ディスクＤの中心）を支点として面と垂直方向に振れながら回転すると、外周部分で十分なクリアランスが確保できなくなり、振動・衝撃等の外部要因によって光ディスクＤとアクチュエーターカバー４とが衝突する。
【００５２】
このとき、面振れの軸は光ディスクＤの中心であるので、図１に示すように、面振れは光ディスクＤの内周側よりも外周側で振れ幅が大きくなり、クリアランスは光ディスクＤの外周にいくほど小さくなる。したがって、光ディスクＤとアクチュエーターカバー４との衝突は両者の一番外周側の対向面となる。より詳しくは、ディスクＤは、情報の読み込みまたは書き込みの位置にしたがって、ディスク半径方向（Ｒ方向）に移動しており、アクチュエーターカバー４が、光ディスクＤの端部より内周側にある場合は、アクチュエーターカバー４の外周側端部で衝突が起こる。そして、アクチュエーターカバー４が、光ディスクＤの端部より外周側にはみ出している場合は、光ディスクＤの端部で衝突が起こる。
【００５３】
よって、カバープロテクタ５は、衝突の可能性のある、アクチュエーターカバー４の外周側端部と、光ディスクＤの端部と対向する領域に設置すればよい。このとき、対物レンズ１がディスク面より外側に位置することはないので、光ディスクＤの端部は、必ずアクチュエーターカバー４における対物レンズ１より外周側に対向する。したがって、プロテクタの設置場所は、アクチュエーターカバー４における、対物レンズと対向する位置より、光ディスク外周側とすればよい。
【００５４】
また、アクチュエーターカバー４の外周側の端部は、光ディスクＤの端部がアクチュエーターカバー４の外周側端部に対向している場合の、光ディスクＤの端部と対向する領域にあたるので、カバープロテクタ５は、上記アクチュエーターカバー４における、光ディスクＤの端部と対向する領域に設置すればよい、と言うこともできる。
【００５５】
具体的なカバープロテクタ５の設置位置としては、図２に示すように、アクチュエーターカバー４の最も外周側、つまり、光ディスクの中心から一番離れている２つの箇所（図２では、アクチュエーターカバー４がディスクＤの半径方向Ｒとほぼ平行な方形であるので、外周側の角部）に設置したプロテクタ５ａ，５ｃが挙げられる。加えて、ディスク外周側であって対物レンズに最も近い、対物レンズ１中心を通るＲ方向の線上に設置したプロテクタ５ｂを設置することが好ましい。
【００５６】
ここで、カバープロテクタ５の配置は、光ディスクＤは、Ｒ方向に内周、外周へと移動する間、常に配置したプロテクタ３つのうち何れかがディスク下面に配置されていることが好ましい。これにより、光ディスクＤがどのような位置にあっても、何れかのカバープロテクタ５により衝突を妨げられる。すなわち、光ディスクＤが、Ｄ２より外側にある場合には、プロテクタ５ａあるいは５ｃで、光ディスクＤの情報領域中央とアクチュエーター４の外周側端部との衝突を防ぐ。そして、光ディスクＤが、Ｄ１とＤ２との間にある場合には、プロテクタ５ａあるいは５ｃで、光ディスクＤ端部とアクチュエーター４の外周側端部あるいは中央部との衝突を防ぐ。また、光ディスクＤが、Ｄ１より内側にある場合には、プロテクタ５ｂで光ディスクＤの端部とアクチュエーター４の中央部表面との衝突を防ぐ。
【００５７】
ここで、５ａ，５ｃは、Ｒ方向に長く形成する事で、Ｄ１とＤ２との間が拡がり、プロテクタ５ａあるいは５ｃで、より広範囲に位置する光ディスクＤ端部と、アクチュエーター４との衝突を防ぐことができる。
【００５８】
また、面振れでは、光ディスクＤが上下しながら回転している為に、光ディスクＤの上下振幅の周期によって、アクチュエーターカバー４上での光ディスクＤが最下位置となる箇所が変化し、予測できない。しかし、少なくともアクチュエーターカバー４の最も外周側となる箇所２箇にカバープロテクタ５を設けることで、衝突が予想される箇所の近くにカバープロテクタ５が形成されることとなるので、設けることが好ましい。
【００５９】
なお、プロテクタ５の設置範囲は、上記した設置位置を含んでいれば特に制限されるものではなく、例えば、アクチュエーターカバー４表面における光ディスクＤと衝突する可能性のある箇所全域に設置しても良い。しかし、カバープロテクタ５の製造コストの面からは、設置範囲を最小限にすることが好ましく、上記したカバープロテクタ５ａ，ｂ，ｃのように設置することが好ましい。あるいは、カバープロテクタ５ａ，５ｂのＲ方向の長さを十分長くする（例えば、対物レンズ１に最も接近する位置まで伸ばす）ことで、２つのカバープロテクタ５ａ，ｂだけで衝突を防ぐ構成としても良い。
【００６０】
また、カバープロテクタ５の形状は特に限定されるものではないが、半球面形状となるように、すなわち、表面が曲面となるように形成することで、衝突を良好に和らげることができる。また、カバープロテクタ５の高さは、使用する材質の硬度や、対物レンズがディスクに何処まで近づくか、アクチェータカバーの配置位置等の要因に応じて、最適に設定すればよい。
【００６１】
また、カバープロテクタ５の材料としては、十分な強度を有し、カバープロテクタ５が光ディスクＤと衝突しても光ディスクＤを傷つけない素材であれば特に限定されるものではない。つまり、カバープロテクタ５の硬度は、光ディスクＤに傷を与えないためには出来るだけ柔らかくすることが好ましいがが、柔らかすぎた場合には、カバープロテクタ５が光ディスクＤに衝突する事で、プロテクタが削れて、ディスク表面に付着してしまう為に、最適な材質を選定する必要がある。
【００６２】
次に、アクチュエーターカバー４にカバープロテクタ５を形成する方法について説明する。
【００６３】
カバープロテクタ５は、図３のように、アクチュエーターカバー４における上記したプロテクタ５形成箇所の裏側（光ディスクＤと対向しない側の面）から、例えばハーフパンチで押し出して凹ませることにより、アクチュエーターカバー４を表側（光ディスクＤと対向する面）へ持ち上げ、凸形状を設けても良い。
【００６４】
この場合、カバープロテクタ５はアクチュエーターカバー４と同じ素材となり、金属などの比較的硬度の高い素材となるが、プロテクタ５の表面は曲面となるように形成すれば、光ディスクＤとの接触によっても、傷はつかない。また、アクチュエーターカバー４およびカバープロテクタ５の材料はステンレス等のサビない金属を用いることが好ましい。
【００６５】
なお、光ディスクＤへの衝撃をより一層和らげるためには、アクチュエーターカバー４の凸形状に、弾性を有する層（例えばゴム材）を設けても良い。
【００６６】
〔実施の形態２〕
次に、本発明の他の実施の形態について、図４を用いて説明する。
【００６７】
なお、本実施の形態は、アクチュエーターカバーにプロテクタを形成する方法以外は、実施の形態１と同じである。
【００６８】
本実施の形態におけるアクチュエーターカバー４４にプロテクタを形成する方法としては、まず、ゴム材やプラスチックの材料により、図４に示すように、半球状の凸部４５ａと、球面の反対側から釘状に突き出た柱部４５ｂと、柱部４５ｂの凸部４５ａとは反対側の端に設けられた柱部４５ｂより太い留め部４５ｃとからなるプロテクタ部品（凸部材）４５を製造する。一方、アクチュエーターカバー４４は、実施の形態１のアクチュエーターカバー４において、プロテクタ設置位置に、凸形状の代わりに孔部４４ｂを設けたものである。この孔部４４ｂの大きさは柱部４５ｂの太さにほぼ等しい。
【００６９】
そして、プロテクタ部品４５の柱部４５ｂを孔部４４ｂにはめ込むことで、アクチュエーターカバー４４にカバープロテクタとしての凸部４５ａが形成できる。
【００７０】
この方法によれば、プロテクタ部品４５を任意の材料にて製造できるので、衝突により光ディスクＤに最も影響を与えにくい材料を選定することが可能となる。なお、この方法に使用できるプロテクタ部品４５の材料としては、他にエラストマなどがある。
【００７１】
〔実施の形態３〕
次に、本発明の他の実施の形態について、図５を用いて説明する。
【００７２】
なお、本実施の形態は、アクチュエーターカバーにカバープロテクタを形成する方法以外は、実施の形態１と同じである。
【００７３】
本実施の形態におけるアクチュエーターカバー５４にカバープロテクタ５５を形成する方法としては、アクチュエーターカバー５４を成型金型に取付け、アクチュエーターカバー５４上にプラスチックを形成してカバープロテクタ５５とする、アウトサート成型がある。
【００７４】
このように、カバープロテクタ５５をアウトサート成型にてアクチェータカバー５４と一体化することで、組立工程を増やすことなく、衝突時に光ディスクＤに最も影響を与えない材料を選定してカバープロテクタ５５を製造できる。この方法に使用できるカバープロテクタ５５の材料としては、他に金属材料であってもよい。
【００７５】
〔実施の形態４〕
次に、本発明の他の実施の形態について、図６を用いて説明する。
【００７６】
なお、本実施の形態は、アクチュエーターカバーにカバープロテクタを形成する方法以外は、実施の形態１と同じである。
【００７７】
本実施の形態におけるアクチュエーターカバー６４にカバープロテクタ６５を形成する方法としては、まず、アクチュエーターカバー６４におけるプロテクタ形成位置に、カバープロテクタ６５の底面と同じ形状の凹部６４ａを設ける。そして、この凹部６４ａに、プロテクタ６５の材料である液状のＲＴＶ（room temperature vulcanizing）ゴム等を、アクチュエーターカバー６４から突出するように塗布し、そのあと硬化させる。これにより、硬化した材料がカバープロテクタ６５となる。
【００７８】
このように、１液状のゴム材を硬化させてプロテクタ６５を形成することで、新規に部品及び金型を作成することなく、衝突時に光ディスクＤに影響を与えない材料にて、精密に位置あわせされたプロテクタ６５を形成でき、ディスクの傷つきを防ぐ事ができる。この方法に使用できるカバープロテクタ６５の材料としては、他にエポキシ系接着剤や、アクリル系接着剤などがある。
【００７９】
〔実施の形態５〕
次に、本発明の他の実施の形態について、図７を用いて説明する。
【００８０】
なお、本実施の形態は、アクチュエーターカバーにプロテクタを形成する方法以外は、実施の形態１と同じである。
【００８１】
本実施の形態におけるアクチュエーターカバー７４にプロテクタ７５を形成する方法としては、まず、アクチュエーターカバー７４におけるプロテクタ形成位置に、プロテクタ７５の底面と同じ形状にくりぬかれた塗布ガイド治具７６を形成する。なお、塗布ガイド治具７６は、液状ゴムが精密にプロテクタ形成位置に塗布されるようにガイドする部材である。そして、塗布ガイド治具７６のくりぬかれた部分において、アクチュエーターカバー７４表面に対して、プロテクタ７５の材料である液状のＲＴＶゴム等を塗布し、そのあと硬化させる。これにより、硬化した材料がプロテクタ７５となる。プロテクタ７５形成後には、塗布ガイド治具７６を除去する。
【００８２】
このように、１液状のゴム材を硬化させてプロテクタ７５を形成することで、新規に部品及び金型を作成することなく、衝突時に光ディスクＤに影響を与えない材料にて精密に位置あわせされたプロテクタ７５を形成でき、ディスクの傷つきを防ぐ事ができる。この方法に使用できるカバープロテクタ７５の材料としては、他にエポキシ系接着剤や、アクリル系接着剤などがある。
【００８３】
〔実施の形態６〕
次に、本発明の他の実施の形態について、図８を用いて説明する。
【００８４】
なお、本実施の形態は、アクチュエーターカバーにプロテクタを形成する方法以外は、実施の形態１と同じである。
【００８５】
本実施の形態におけるアクチュエーターカバー８４にプロテクタ８５を形成する方法としては、まず、アクチュエーターカバー８４におけるプロテクタ形成位置に、位置あわせしてプロテクタ８５の材料である液状のＲＴＶゴム等を塗布する。そして、この液状ゴムに対し、上からプロテクタ８５の半球状形状の鋳型である高さ規制治具８６を押圧することで液状ゴムを鋳型の形状に高さ規制し、このまま硬化させる。これにより、硬化した材料がプロテクタ８５となる。プロテクタ８５形成後には、高さ規制治具８６を取り外す。
【００８６】
なお、プロテクタ８５の位置合わせについては、ＲＴＶゴムを塗布する際に、治具を用いて、任意の位置に、アクチュエーターカバー８４及びゴム塗布機を保持する事で行われる。また、塗布後は高さ規制治具８６に合わせてアクチュエーターカバー８４の位置を決めた後に、高さ規制治具８６を押圧する必要がある。
【００８７】
このように、１液状のゴム材を硬化させてプロテクタ８５を形成することで、衝突時に光ディスクＤに影響を与えない材料にて、任意の形状のプロテクタ８５を形成でき、ディスクの傷つきを防ぐ事が可能となるものである。この方法に使用できるカバープロテクタ８５の材料としては、他にエポキシ系接着剤や、アクリル系接着剤などがある。
【００８８】
なお、上述の説明では、対物レンズ１が固定されており、光ディスクＤを半径方向Ｒに動かして、レーザー光の照射位置を変える場合について説明したが、これに限るものではなく、光ディスクＤを固定しながら回転させて、対物レンズ１を含む光ピックアップ装置を動かしてレーザー光の照射位置を変えてもよい。この場合の光ディスクＤと対物レンズ１との位置関係は、対物レンズ１が固定されている場合と同様なので、カバープロテクタの好ましい設置位置は同じである。
【００８９】
また、上述の説明では、アクチュエーターカバーは、筐体に固定されてものとして説明しているが、これに限られるものではなく、アクチュエーターカバーがアクチュエーターの基台等に設置されたものであってもよい。
【００９０】
なお、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００９１】
また、本発明は、レーザー光を用いて、光ディスクまたは光磁気ディスク等の情報記録媒体に対して、その情報の再生、消去及び記録のうちのいずれかが可能である光ピックアップ装置において対物レンズを上下に可動させている部分の保護カバー(アクチェータカバー)にディスク傷付き防止用の凸形状を設けていることを特徴とする第１の装置。
【００９２】
第１の光学装置において、アクチェータカバー上に設けるディスク傷つき防止用の凸を半球面形状にすることを特徴とする第２の装置。
【００９３】
第１の光学装置において、アクチェータカバーに別ピースにてディスク傷つき防止用プロテクタを取り付けることを特徴とする第３の装置。
【００９４】
第３の光学装置において、別ピースのディスク傷つき防止プロテクタをアウトサート成型にて構成する事を特徴とする装置。
【００９５】
第２の光学装置において、アクチェータカバー上に１液性ゴム材を塗布して、ディスク傷つき防止プロテクタを構成させる事を特徴とする第４の装置。
【００９６】
第４の光学装置において、アクチェータカバー上に塗布する１液性ゴム材のディスク傷つき防止プロテクタの位置精度を安定させる為に、アクチェータカバー上に凹部を設ける事を特徴とする装置。
【００９７】
第４の光学装置において、アクチェータカバー上に塗布する１液性ゴム材のディスク傷つき防止プロテクタの位置精度を安定させる為に、塗布ガイド治具を用いてプロテクタの位置精度を安定させる事を特徴とする装置。
【００９８】
第４の光学装置において、アクチェータカバー上に塗布する１液性ゴム材の硬化時に治具にて高さ規制して、プロテクタ高さ寸法を安定させることを特徴とする装置。
【００９９】
上記の光学装置において、ディスク傷つき防止用のプロテクタをディスク外周側３箇所に設ける事を特徴とする。
【０１００】
本発明は、光ピックアップ装置において光ディスクとレンズ駆動部の保護カバーとの衝突を防ぐ構成を有している。したがって、特にノートパソコン等に用いられる光ディスクとレンズ駆動部との間隔が狭くなる薄型の光ピックアップ装置に好ましく用いられる。また、書き込み可能な光ディスクは面振れが多いことから、光ディスクに情報を書き込む機能を有する光ピックアップ装置にも好ましく用いられる。
【図面の簡単な説明】
【０１０１】
【図１】本発明の実施の形態に係る光ピックアップ装置のアクチュエーター機構を示す側面断面図である。
【図２】本発明の実施の形態に係る光ピックアップ装置のアクチュエーターカバーを示す図面である。
【図３】本発明の実施の形態に係るアクチェータカバーのカバープロテクタを示す図面である。
【図４】本発明の他の実施の形態に係るアクチェータカバーのカバープロテクタを示す図面である。
【図５】本発明の他の実施の形態に係るアクチェータカバーのカバープロテクタを示す図面である。
【図６】本発明の他の実施の形態に係るアクチェータカバーのカバープロテクタを示す図面である。
【図７】本発明の他の実施の形態に係るアクチェータカバーのカバープロテクタを示す図面である。
【図８】本発明の他の実施の形態に係るアクチェータカバーのカバープロテクタを示す図面である。
【図９】従来の光ピックアップ装置のアクチュエーター機構を示す側面断面図である。
【図１０】従来の光ピックアップ装置のアクチュエーター機構を示す側面断面図である。
【符号の説明】
【０１０２】
１      対物レンズ
２      レンズホルダー（レンズ駆動部）
３      レンズプロテクタ
４      アクチェータカバー（保護カバー）
５      プロテクタ（凸形状）
５ａ    プロテクタ（凸形状）
５ｂ    プロテクタ（凸形状）
５ｃ    プロテクタ（凸形状）
６      アクチュエーター（レンズ駆動部）
４４    アクチェータカバー
４５    プロテクタ（凸形状、凸部材）
５４    アクチェータカバー
５５    プロテクタ（凸形状、凸部材）
６４    アクチェータカバー
６４ａ  凹部
６５    プロテクタ（凸形状）
７４    アクチェータカバー
７５    プロテクタ（凸形状）
７６    塗布ガイド治具
８４    アクチェータカバー
８５    プロテクタ（凸形状）
８６    塗布ガイド治具
８７    高さ規制治具
Ｄ      光ディスク
【図１】
2005251246.tif 000003
【図２】
2005251246.tif 000004
【図３】
2005251246.tif 000005
【図４】
2005251246.tif 000006
【図５】
2005251246.tif 000007
【図６】
2005251246.tif 000008
【図７】
2005251246.tif 000009
【図８】
2005251246.tif 000010
【図９】
2005251246.tif 000011
【図１０】
2005251246.tif 000012